(57)【要約】【課題】ケーブル外観からケーブルコア内の心線の撚り方向や位置を一目で判別し特定することのできる色帯入りケーブルを提供すること。【解決手段】単心線または複心線を撚ってなるケーブルコア１の外周を覆うシース２に前記シースと異なる色の色帯３を施してある色帯入りケーブルにおいて、前記色帯３が、心線の位置を示すように、ケーブルの長手方向にそって、前記心線の撚り方向と同一の向きのらせん状に施されている構造とする。【選択図】        図１
2005100756.tif 000002
【特許請求の範囲】
【請求項１】
単心線または複心線を撚ってなるケーブルコアの外周を覆うシースに前記シースと異なる色の色帯を施してある色帯入りケーブルにおいて、
前記色帯が、心線の位置を示すように、ケーブルの長手方向にそって、前記心線の撚り方向と同一の向きのらせん状に施されていることを特徴とするらせん状色帯入りケーブル。
【請求項２】
単心線または複心線を撚ってなるケーブルコアの外周を覆うシースに前記シースと異なる色の色帯を施してある色帯入りケーブルにおいて、
前記色帯が、ケーブルの長手方向にそって、右回りらせんと左回りらせんの交互の繰り返しにより施されていることを特徴とするらせん状色帯入りケーブル。
【請求項３】
前記らせん状色帯の色帯ピッチが心線の撚りピッチと同程度であることを特徴とする請求項１または２に記載のらせん状色帯入りケーブル。
【請求項４】
前記らせん状色帯が複数本施されていることを特徴とする請求項１から３のいずれかに記載のらせん状色帯入りケーブル。
【請求項５】
前記心線が導体から成ることを特徴とする請求項１から４のいずれかに記載のらせん状色帯入りケーブル。
【請求項６】
前記心線が光ファイバから成ることを特徴とする請求項１から４のいずれかに記載のらせん状色帯入りケーブル。
【発明の詳細な説明】
【技術分野】
【０００１】
本発明は、単心線または複心線を撚ってなるケーブルコアにシースを被覆し、且つそのシース上にシースと異なる色の色帯を施した色帯入りケーブルに関するものである。
【背景技術】
【０００２】
一般に、ケーブルは心線（導体）の外側がシースで覆われており、心線はシースを剥ぎ取らなければ直接視認できないような構造になっている。
【０００３】
配電用などの電力ケーブルは一箇所に複数のケーブルを使用することが多く、また、ケーブルを撚り合わせて使用することも多いので、心線を直接視認できないケーブルを多数使用していると、誤配線を招くことが考えられる。そのため、作業時における誤配線を防ぐ方法として、シース上に一本の直線のストライプをシースの長手方向に施して心線を識別するか、図４に示す如くケーブルの心線を識別できるようにシースの表面を着色して、その色によって判断する方法が挙げられる。
【０００４】
しかし、シース上にストライプを施す場合、ストライプが一本の直線のみであると、その対角側からではストライプを直接視認することができない。また、トリプレックス形ケーブルなどの単心撚り合わせケーブルにおいては、ストライプが撚り合わせの内側にきてしまった場合、その撚り合わせをほぐさなければストライプを視認することができない。そのため、現在はシース上の対角にもストライプを施し一本の時より視認性を向上させたケーブルが使用されている。
【０００５】
シース上のストライプを二本にすることで確かに視認性は向上したが、これには次のような問題点があった。すなわち、シース上の対角にストライプを施して撚り合わせケーブルに使用する場合、撚り合わせの幅によって、ストライプの見え方が変わってしまい視認に困難を要する場合があった。また、ストライプが二本であってもケーブルの撚り合わせ部分の内側に入ってしまい、正確な心線の識別ができなくなる場合があった。
【０００６】
尚、上述した方法のうちのシースの表面を着色して、その色で心線の識別をする場合に関し、特に撚り合わせケーブルにおいては何本かのケーブルを撚り合わせている構造上、絶縁体表面色では十分に確認することができず、シースを剥ぎ取って心線を確認しなければならないこともあった。 
【０００７】
そこで、図５に示す如く、心線（導体）１２のシース３３に心線識別用ストライプ３４を螺旋状に施し、ケーブル１３をどの方向から見てもストライプを視認できるようにすることが提案されている（例えば、特許文献１参照）。 
【０００８】
一方、図６に示すように、光ファイバ心線４１、引裂き紐４２、介在紐４３が一次被覆４４内の同じ層に混在された光ファイバユニットにおいては、最初に引裂き紐４２を目視で選び出し、これを摘まみ出すのは簡単ではないことから、図示する如く、ユニットの断面の中心から、引裂き紐が射影されるユニット被覆の外表面に、長さ方向に連続して目視等で識別できる引裂き紐位置表示（色帯５１）を設けることが提案されている（例えば、特許文献２参照）。色帯５１は、二次被覆４５の外表面に設けられた、二次被覆４５の色とは異なる色の色帯であり、プラスチックの押出しまたはインクの塗布により設けられる。この色帯は図に示すようにユニットの外表面に長手方向に連続して表示される。図６は光ファイバ心線４１、引裂き紐４２、介在紐４３が撚られずに直線状に集合されている場合を示すが、これらが撚られている場合は、色帯の表示も撚りに倣って長手方向に螺旋を描くことになる。この構造によれば、引裂き紐４２をユニットの側面からも識別できるため、光ファイバ心線や介在紐を引裂き紐と見間違えることを防止できる。
【特許文献１】特開２００２−４２５７８号公報（図１）
【特許文献２】特開２００３−４９９８号公報（図１、段落番号００１６）
【発明の開示】
【発明が解決しようとする課題】
【０００９】
上記のように、単心線または複心線を撚ってなるケーブルコアにシースを被覆し、且つそのシース上にシースと異なる色の色帯を施した色帯入りケーブルの色帯は、通常、ケーブルの長手方向に沿って直線状に１本から３本程度の数が施されている。
【００１０】
ケーブルコア内の心線は通常、長手方向に沿って右回りまたは左回りに撚ってあり、シースは黒色等の色が施されている。ケーブルの判別方法の１つとして従来、シース上にシースと異なる色の色帯を直線状に施しているが、色帯の色や本数はケーブル使用者によって多種である。すなわち、直線状の色帯では、色帯の色や本数が異なる使用者間などでは、ケーブル外観から心線の撚り方向を一目で判別することは難い。
【００１１】
図４に従来の色帯入りケーブルの構造例を示す。この色帯入りケーブルは、光ファイバの単心線または複心線を撚ってなるケーブルコア１に、黒色ポリエチレン、黒色ポリ塩化ビニルなどのプラスチックシース２を被覆する時に、シース表面上の一部に黄、橙、赤、青、緑などの色（色帯３）を幅約２mm程度、ケーブル長手方向に沿って直線状に施したものである。
【００１２】
色帯３はケーブル外観からケーブルの種類を識別する方法のひとつであるが、ケーブル使用者によってその色と本数は多種であるため、ケーブル外観からケーブルコアの心線の撚り方向を判別するのは困難である。
【００１３】
しかしながら、接続工事などにおいては、ケーブルコア内において長手方向に沿って右回りまたは左回りに撚ってある心線の撚り方向や位置を、ケーブルの外部から判別し特定できることが望まれる。
【００１４】
これに対し、特許文献１（図５）は、いずれの方向からでも見えるように、シースに心線識別用ストライプを螺旋状に設けているものであり、心線とその識別用ストライプとは同じ撚り方向や位置に特定されているものではない。
【００１５】
また、特許文献２（図６）は、引裂き紐が射影されるユニット被覆の外表面に引裂き紐位置表示として色帯を設けるものであり、色帯は心線の撚り方向や位置を示すものではない。
【００１６】
そこで、本発明の目的は、上記課題を解決し、ケーブル外観からケーブルコア内の心線の撚り方向や位置を一目で判別し特定することのできる色帯入りケーブルを提供することにある。
【課題を解決するための手段】
【００１７】
上記の目的を達するために本発明では以下の手段を講じた。すなわち、請求項１に係る発明のらせん状色帯入りケーブルは、単心線または複心線を撚ってなるケーブルコアの外周を覆うシースに前記シースと異なる色の色帯を施してある色帯入りケーブルにおいて、前記色帯が、心線の位置を示すように、ケーブルの長手方向にそって、前記心線の撚り方向と同一の向きのらせん状に施されていることを特徴とする。
【００１８】
また、請求項２に係る発明のらせん状色帯入りケーブルは、単心線または複心線を撚ってなるケーブルコアの外周を覆うシースに前記シースと異なる色の色帯を施してある色帯入りケーブルにおいて、前記色帯が、ケーブルの長手方向にそって、右回りらせんと左回りらせんの交互の繰り返しにより施されていることを特徴とする。
【００１９】
また、請求項３に係る発明は、請求項１または２に記載のらせん状色帯入りケーブルにおいて、前記らせん状色帯の色帯ピッチが心線の撚りピッチと同程度であることを特徴とする。
【００２０】
また、請求項４に係る発明は、請求項１から３のいずれかに記載のらせん状色帯入りケーブルにおいて、前記らせん状色帯が複数本施されていることを特徴とする。
【００２１】
また、請求項５に係る発明は、請求項１から４のいずれかに記載のらせん状色帯入りケーブルにおいて、前記心線が導体から成ることを特徴とする。
【００２２】
また、請求項６に係る発明は、請求項１から４のいずれかに記載のらせん状色帯入りケーブルにおいて、前記心線が光ファイバから成ることを特徴とする。
【００２３】
上記した単心線または複心線を撚ってなるケーブルコアの外周を覆うシースに前記シースと異なる色の色帯を施してある色帯入りケーブルの製造方法としては、押出成形時に押出機の押出ヘッドをケーブルの円周方向の右回りまたは左回りに自在に回転させ、あるいはまた、押出成形時にケーブル自体をケーブルの円周方向の右回りまたは左回りに自在に回転させ、これにより色帯をケーブルの長手方向に沿って、らせん状または右回りと左回りの交互に施すことで行うことができる。
【発明の効果】
【００２４】
本発明のらせん状色帯入りケーブルによれば、色帯が心線の位置を示していることから、ケーブルのシースを剥ぎ取ることなくケーブルコア内の心線の撚り方向や位置が、シース外から容易に判別できるので、ケーブル布設や接続を短時間で容易に行うことができる。また、ケーブルコア内の心線が一方向らせん撚りのケーブルであるか、右回り左回りらせん交互撚りのケーブルであるかが容易に判別できるので、布設後の後分岐工事などの再工事を短時間に容易に行うことができる。また、従来の直線状色帯では、ケーブルのどの位置からでも色帯を見えるようにするには色帯は３本必要であるが、らせん状色帯では１本だけで、どの位置からでも色帯を確認することができる。
【発明を実施するための最良の形態】
【００２５】
以下、本発明を図示の実施の形態に基づいて説明する。
【００２６】
図１に本発明の第１の実施形態に係る一方向らせん状色帯入りケーブルの構造を示す。この色帯入りケーブルは、導体から成る単心線または複心線を撚ってなるケーブルコア１に、黒色ポリエチレン、黒色ポリ塩化ビニルなどのプラスチックシース２を被覆する時に、シース表面上の一部に黄、橙、赤、青、緑などの色（色帯３）を幅約２mm程度、ケーブル長手方向に沿ってらせん状に施したものである。
【００２７】
この色帯入りケーブルの特徴は、シース２の色とは異なる色で幅約２mm程度の色帯３の部分が、心線の位置を示すように、ケーブル長手方向に沿って、ケーブル円周方向の右回りまたは左回りらせん状のどちらか一方向のみに適当なピッチ、つまり心線の撚りピッチと同程度のピッチで施されていることである。
【００２８】
このとき、ケーブルコア１中の心線が右回りまたは左回りのどちらか一方向に撚られているケーブルコア１に、心線の位置を示すように、その撚り方向と同方向のらせん状色帯３を施したシース２を被覆することにより、ケーブル外観からシース２を剥ぐことなくケーブルコア１中の心線の撚り方向を判別できる。らせん状色帯３の色帯ピッチはケーブルコアの心線の撚りピッチ程度が望ましい。
【００２９】
図２に第２の実施形態に係る右回り左回り交互らせん状色帯入りケーブルを示す。この色帯入りケーブルの特徴は、ケーブルコア１内の心線の位置を示すように、ケーブル長手方向に沿って、ケーブル円周方向の右回りらせんと左回りらせんが交互状に適当なピッチと反転角度で繰り返して、色帯３がシース２上に施されていることである。
【００３０】
この実施形態は、心線が導体又は光ファイバのいずれであっても適用することができるが、光ファイバケーブルの場合には、右回り左回り交互らせん状に光ファイバ心線が撚られているＳＺ撚りなどのケーブルコア１のシースに、右回り左回りらせん交互の色帯３を施すことで、交互撚りのケーブルを判別可能とすることができる。
【００３１】
上述した一方向らせん状（図１）または交互らせん状（図２）の色帯の製造方法は、シース押出成形時にケーブルコア１を長手方向に沿って直線状に押出機を通過させると同時に、押出機のヘッドをケーブルの円周方向の右回りまたは左回りに自在に回転させるか、または、押出機のヘッドを固定し、ケーブルコアの送出しと巻取り装置を同期させながら、ケーブル円周方向の右回りまたは左回りに自在に回転させ、ケーブルコア自身を回転させることにより、色帯部分を一方向または交互らせん状に施すことができる。押出成形スピードと押出機ヘッドまたはケーブルの回転スピードを調節することにより任意の色帯ピッチを得ることができる。    
【００３２】
図２のケーブルコアの撚り方向とケーブルシース上に施された色帯が共に右回り左回りらせんの交互の繰り返しであるケーブルを、ユーザーアクセス系などの分岐用に使用することにより、ケーブル布設後の分岐などの再工事が可能なケーブルを外観から容易に判別することができる。
【００３３】
上記実施形態では色帯が１本の場合の色帯入りケーブルについて説明したが、色帯は複数本設けることもできる。たとえば、シース上に施すらせん状の色帯を、図３に色帯３ａ、３ｂ、３ｃとして示すように３本程度に増やすことにより、撚り方向を強調することもできる。
【００３４】
また、ケーブルコア１内の心線の撚りピッチと、らせん状色帯３の色帯ピッチを完全に一致させることにより、ケーブル外観からシースを剥ぐことなくケーブルコア中の特定心線の位置を正確に判別することができる。
【図面の簡単な説明】
【００３５】
【図１】本発明のらせん状色帯入りケーブルの一実施形態（一方向らせん状）を示したもので、（ａ）は断面図、（ｂ）は側面からの斜視図である。
【図２】本発明の他のらせん状色帯入りケーブルの実施形態（右回りと左回りの交互らせん状）を示したもので、（ａ）は断面図、（ｂ）は側面からの斜視図である。
【図３】本発明の他のらせん状色帯入りケーブルの実施形態（らせん状の強調）を示したもので、（ａ）は断面図、（ｂ）は側面からの斜視図である。
【図４】従来の色帯入りケーブルを示したもので、（ａ）は断面図、（ｂ）は側面からの斜視図である。
【図５】従来の心線識別付ケーブルを示した斜視図である。
【図６】従来の光ファイバユニットを示した斜視図である。
【符号の説明】
【００３６】
１  ケーブルコア
２  シース
３  色帯
【図１】
2005100756.tif 000003
【図２】
2005100756.tif 000004
【図３】
2005100756.tif 000005
【図４】
2005100756.tif 000006
【図５】
2005100756.tif 000007
【図６】
2005100756.tif 000008